(57)【要約】【課題】決算データに含まれる複数の項目に対応する数値の確認の早期化を図る。【解決手段】本社３のサーバ３００に出力するデータであり、項目と当該項目に対応する数値とを含む決算データを取得し、取得する決算データに含まれる項目毎に、当該項目に対応する数値が異常値であるかを判断するための閾値を設定し、項目毎に設定された閾値を用いて、取得した決算データに含まれる項目に対応する数値が異常値であるか否かを判断することにより、支社２のコンピュータ２００における決算データに含まれる複数の項目に対応する数値の確認精度を高くすることができるので、決算データに含まれる複数の項目に対応する数値の確認の早期化を図ることができる。【選択図】図１
2012141851.tif 000002
【特許請求の範囲】
【請求項１】
項目と当該項目に対応する数値とを含む出力対象のデータを取得する取得手段と、
前記取得手段により取得したデータに含まれる項目毎に、当該項目に対応する数値が異常値であるかを判断するための閾値を設定する設定手段と、
前記項目毎に設定された閾値を用いて、前記取得手段により取得したデータに含まれる項目に対応する数値が異常値であるか否かを判断する判断手段と、
を備えたことを特徴とする情報処理装置。
【請求項２】
前記取得手段により取得したデータに含まれる項目に対応する数値のうち異常値であると判断された数値を通知する通知手段をさらに備えたことを特徴とする請求項１に記載の情報処理装置。
【請求項３】
前記通知手段は、前記異常値であると判断した数値を他の数値とは異なる表示で示すことを特徴とする請求項２に記載の情報処理装置。
【請求項４】
前記通知手段は、前記異常値であると判断した数値をハイライト表示することを特徴とする請求項２または３に記載の情報処理装置。
【請求項５】
前記異常値であると判断した数値に対するコメントを入力する入力手段と、
前記データおよび前記入力されたコメントを出力する出力手段と、
をさらに備えたことを特徴とする請求項１から４のいずれか一に記載の情報処理装置。
【請求項６】
前記入力されたコメントが適切なコメントであるかを判断するコメント判断手段と、
前記コメントが適切なコメントでないと判断した場合、前記データの出力を禁止する禁止手段と、
をさらに備えたことを特徴とする請求項５に記載の情報処理装置。
【請求項７】
前記禁止手段は、前記異常値であると判断した数値に対するコメントが入力されていない場合、前記データの出力を禁止することを特徴とする請求項５に記載の情報処理装置。
【請求項８】
情報処理装置で実行される情報処理方法であって、
前記情報処理装置は、制御部を備え、
前記制御部は、
前記取得手段が、項目と当該項目に対応する数値とを含む出力対象のデータを取得する工程と、
前記設定手段が、前記取得手段により取得したデータに含まれる項目毎に、当該項目に対応する数値が異常値であるかを判断するための閾値を設定する工程と、
前記判断手段が、前記項目毎に設定された閾値を用いて、前記取得手段により取得したデータに含まれる項目に対応する数値が異常値であるか否かを判断する工程と、
を含むことを特徴とする情報処理方法。
【請求項９】
コンピュータを、
項目と当該項目に対応する数値とを含む出力対象のデータを取得する取得手段と、
前記取得手段により取得したデータに含まれる項目毎に、当該項目に対応する数値が異常値であるかを判断するための閾値を設定する設定手段と、
前記項目毎に設定された閾値を用いて、前記取得手段により取得したデータに含まれる項目に対応する数値が異常値であるか否かを判断する判断手段と、
として機能させるためのプログラム。
【発明の詳細な説明】
【技術分野】
【０００１】
本発明は、情報処理装置、情報処理方法、およびプログラムに関する。
【背景技術】
【０００２】
従来、勘定科目を表す項目と当該項目に対応する数値とを含む決算データを生成して出力する支社の端末と、当該支社の端末から出力された決算データを収集する本社の端末と、を備えた業績管理システムにおいては、支社の端末から決算データを収集した後、本社の端末において、経理が、支社の端末から収集した決算データを連結する際に、収集した決算データに含まれる項目に対応する数値の異常に気付き、支社への問い合わせが行われていた。そのため、支社への問い合わせ（収集した決算データに含まれる項目に対応する数値が間違えなのか、正しいのか）に手間がかかり、特に、決算データの収集期限間際の問い合わせにおいては、時間的な余裕がない中での業務が強いられていた。
【０００３】
そこで、特許文献１には、決算データを出力する端末装置において、予め設定された閾値を用いて、決算データに含まれる項目に対応する数値の正確性を確認し、数値の正確性が確認できなかった場合に、警告する技術が開示されている。
【発明の概要】
【発明が解決しようとする課題】
【０００４】
しかしながら特許文献１に記載の技術によれば、決算データに含まれる項目に対応する数値の正確性の確認に、１つの閾値しか用いていないため、決算データに複数の項目が含まれている場合、当該複数の項目それぞれに対応する数値の正確性の確認精度が低くなり、本社の端末で、再度、決算データに含まれる項目に対応する数値の正確性を確認しなければならず、決算データに含まれる項目に対応する数値の確認に時間がかかる、という課題がある。
【０００５】
本発明は、上記に鑑みてなされたものであって、決算データに含まれる複数の項目に対応する数値の確認の早期化を図ることができる情報処理装置、情報処理方法、およびプログラムを提供することを目的とする。
【課題を解決するための手段】
【０００６】
上述した課題を解決し、目的を達成するために、本発明は、項目と当該項目に対応する数値とを含む出力対象のデータを取得する取得手段と、前記取得手段により取得したデータに含まれる項目毎に、当該項目に対応する数値が異常値であるかを判断するための閾値を設定する設定手段と、前記項目毎に設定された閾値を用いて、前記取得手段により取得したデータに含まれる項目に対応する数値が異常値であるか否かを判断する判断手段と、を備えたことを特徴とする。
【０００７】
また、本発明は、情報処理装置で実行される情報処理方法であって、前記情報処理装置は、制御部を備え、前記制御部は、前記取得手段が、項目と当該項目に対応する数値とを含む出力対象のデータを取得する工程と、前記設定手段が、前記取得手段により取得したデータに含まれる項目毎に、当該項目に対応する数値が異常値であるかを判断するための閾値を設定する工程と、前記判断手段が、前記項目毎に設定された閾値を用いて、前記取得手段により取得したデータに含まれる項目に対応する数値が異常値であるか否かを判断する工程と、を含むことを特徴とする。
【０００８】
また、本発明は、コンピュータを、項目と当該項目に対応する数値とを含む出力対象のデータを取得する取得手段と、前記取得手段により取得したデータに含まれる項目毎に、当該項目に対応する数値が異常値であるかを判断するための閾値を設定する設定手段と、前記項目毎に設定された閾値を用いて、前記取得手段により取得したデータに含まれる項目に対応する数値が異常値であるか否かを判断する判断手段と、として機能させる。
【発明の効果】
【０００９】
本発明によれば、決算データに含まれる複数の項目に対応する数値の確認の早期化を図ることができる、という効果を奏する。
【図面の簡単な説明】
【００１０】
【図１】図１は、本実施の形態にかかる業績管理システムの構築例を示す模式図である。
【図２】図２は、コンピュータのハードウェアの構成図である。
【図３】図３は、コンピュータの決算データの出力処理にかかる機能構成を示すブロック図である。
【図４】図４は、決算データの一例を示す図である。
【図５】図５は、項目に対応する数値が異常値であるかの判断を説明するための図である。
【図６】図６は、決算データに含まれる項目に対応する数値が異常値であるかの判断処理およびコメントの入力処理の流れを示すフローチャートである。
【発明を実施するための形態】
【００１１】
以下に添付図面を参照して、この発明にかかる情報処理装置、情報処理方法、およびプログラムの実施の形態を詳細に説明する。
【００１２】
本実施の形態を図１ないし図６に基づいて説明する。本実施の形態は情報処理装置としてパーソナルコンピュータを適用した例である。なお、本実施の形態では、パーソナルコンピュータに本発明の情報処理装置、情報処理方法、およびプログラムを適用した例について説明する。但し、パーソナルコンピュータに限られず、複合機（ＭＦＰ：Multi  Function  Peripheral）、プリンタ、ファクシミリ、コピー機等の画像形成装置などにも本発明を適用することができる。
【００１３】
図１は、本実施の形態にかかる業績管理システムの構築例を示す模式図である。本実施の形態の業務管理システム１は、支社２に設置されたコンピュータ２００にＬＡＮ（Local  Area  Network）等のネットワーク４を介して、本社３に設置されたサーバ３００が接続されたシステムを想定しており、支社２のコンピュータ２００上で生成されたデジタルデータがネットワーク４を介してサーバ３００に送信され、送信されたデジタルデータがサーバ３００により連結されるものである。
【００１４】
次に、コンピュータ２００について説明する。コンピュータ２００は、一般的又は標準的なパーソナルコンピュータである。図２は、コンピュータのハードウェアの構成図である。コンピュータ２００は、情報処理を行うＣＰＵ（Central  Processing  Unit）２０１と、ＢＩＯＳ（Basic  Input  Output  System）等を格納するＲＯＭ（Read  Only  Memory）２０２、情報を処理中に一時的に格納するＲＡＭ（Random  Access  Memory）２０３等の一次記憶装置と、アプリケーションプログラムや処理結果等を格納する記憶部であるＨＤＤ（Hard  Disk  Drive）２０４等の二次記憶装置と、情報を外部に格納又は配布し若しくは情報（アプリケーションプログラム等）を外部から入手するための記憶媒体であるリムーバブルメディア２０５のドライブ２０６と、外部の他の機器（他の支社２に設置されたコンピュータ２００、サーバ３００）と通信するためのネットワーク４に接続するためのネットワークインターフェース２０７と、処理経過や処理結果等をユーザに表示する表示部であるディスプレイ２０８と、操作者がコンピュータ２００に命令や情報等を入力するためのキーボード２０９やマウス２１０等の入力部とから構成され、これらの間のデータ通信をバスコントローラ２１１が調停して動作している。
【００１５】
なお、リムーバブルメディア２０５としては、フレキシブルディスク、ハードディスク、磁気テープ等のような磁気的な記憶媒体、ＭＯのような光磁気的な記憶媒体、ＣＤ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＡＭ、ＤＶＤ−ＲＷ、ＤＶＤ＋ＲＷ等のような光学的な記憶媒体、半導体メモリ等、各種の記憶媒体が適用できる。
【００１６】
データ送信は、コンピュータ２００のネットワークインターフェース２０７へとデータを送ることにより、ネットワークインターフェース２０７がネットワーク４へと信号を出力する。また、ネットワークインターフェース２０７が受け取った信号については、ネットワークインターフェース２０７において必要かどうかの判断がなされ、必要なデータであれば取り込み、不必要であれば破棄する、というような処理が行われる。すなわち、あらゆるデータの送受信は、すべてネットワークインターフェース２０７を経由して行われることになる。
【００１７】
一般的に、このようなコンピュータ２００ではユーザが電源を投入すると、ＣＰＵ２０１はＲＯＭ２０２内のＢＩＯＳに含まれるローダーというプログラムを起動させ、ＨＤＤ２０４からオペレーティングシステム（ＯＳ）という当該コンピュータ２００のハードウェアとソフトウェアとを管理するプログラムをＲＡＭ２０３に読み込む。ＯＳは起動すると、ユーザの操作に応じてアプリケーションプログラムの起動、情報の読み込み、保存等をサポートする。代表的なＯＳとしては、Ｗｉｎｄｏｗｓ（登録商標）等が知られている。これらのＯＳ上で走るプログラムをアプリケーションプログラムと呼んでいる。なお、アプリケーションプログラムは、所定のＯＳ上で動作するものに限らず、後述の各種処理の一部の実行をＯＳに肩代わりさせるものであってもよいし、所定のアプリケーションソフトやＯＳなどを構成する一群のプログラムファイルの一部として含まれているものであってもよい。
【００１８】
また、一般的には、コンピュータ２００のＨＤＤ２０４にインストールされるアプリケーションプログラムは、リムーバブルメディア２０５に記録され、このリムーバブルメディア２０５に記録されたアプリケーションプログラムがＨＤＤ２０４にインストールされる。このため、リムーバブルメディア２０５も、アプリケーションプログラムを記憶する記憶媒体となり得る。さらには、アプリケーションプログラムは、例えばネットワークインターフェース２０７を介して外部から取り込まれ、ＨＤＤ２０４にインストールされても良い。
【００１９】
コンピュータ２００は、ＯＳ上で動作するアプリケーションプログラムが起動すると、このアプリケーションプログラムに従い、ＣＰＵ２０１が各種の演算処理を実行して各部を集中的に制御する。
【００２０】
次に、コンピュータ２００のＣＰＵ２０１が実行する各種の演算処理のうち、本実施の形態の特長的な処理について以下に説明する。概略的には、本実施の形態の特徴的な処理は、ネットワークインターフェース２０７により出力する出力対象のデータであって、勘定科目を表す項目と当該項目に対応する数値とを含む決算データを取得する。次いで、取得した決算データに含まれる項目毎に、当該項目に対応する数値が異常値であるかを判断するための閾値を設定する。次いで、項目毎に設定した閾値を用いて、取得した決算データに含まれる項目に対応する数値が異常値であるか否かをチェックする。そして、取得した決算データに含まれる項目に対応する数値のうち異常値であると判断した数値の異常を通知する。さらに、取得した決算データに含まれる項目に対応する数値のうち異常値であると判断した数値に対するコメントを入力する。なお、決算データおよび入力されたコメントは、ネットワークインターフェース２０７を介してサーバ３００に出力されるものとする。
【００２１】
図３は、コンピュータの決算データの出力処理にかかる機能構成を示すブロック図である。本実施の形態にかかるコンピュータ２００の機能構成は、入力制御部３０１、整合性チェック部３０２、異常値チェック部３０３などを備えている。
【００２２】
入力制御部３０１は、ＥＴＬ（Extract  Transform  Load）ツール機能、ＨＦＭ（Hyperion  Financial  Management）入力チェック機能により、Smart  View入力シートによりディスプレイ２０８に表示されたExcel（登録商標）のスプレッドシート（決算データ）に入力する数値の計算、決算データへの数値の入力、決算データに含まれる項目に対応する数値のうち異常値と判断された数値に対するコメントの入力、および入力チェック（例えば、数値を入力する項目の指定漏れやレイアウト不備など）を行うものである。
【００２３】
また、入力制御部３０１は、Excel（登録商標）の入力項目の選択・制限機能により、Smart  View入力シートによる決算データへの数値やコメント等の誤入力を防止する。本実施の形態では、入力制御部３０１は、決算データに入力されたコメントと予め設定されたコメントとを比較して、当該決算データに入力されたコメントが適切なコメントであるかを判断する。そして、入力制御部３０１は、決算データに入力されたコメントが適切なコメントでないと判断した場合、および決算データに含まれる項目に対応する数値のうち異常値であると判断した数値に対するコメントが入力されていない場合、ネットワークインターフェース２０７によるサーバ３００に対する決算データの出力を禁止するものとする。一方、入力制御部３０１は、決算データに入力されたコメントが適切なコメントであると判断した場合、ネットワークインターフェース２０７を介して、決算データをサーバ３００に出力する。これにより、決算データを受け取ったサーバ３００が設置された本社３では、入力されたコメントを参照して異常値と判断された数値の分析を行えるので、決算データに含まれる数値が異常値となった原因の分析精度を向上させることができる。
【００２４】
図４は、決算データの一例を示す図である。本実施の形態では、決算データは、売上や粗利益などの勘定科目と、当該勘定科目を表す項目（例えば、実績金額や実績増減額や実績増減率など）と、当該項目に対応する数値と、当該数値が異常値であると判断された場合（例えば、数値が異常に高い若しくは低い場合）に入力されたコメントと、を含むものである。ここで、実績金額は、勘定科目を表す金額である。実績増減額は、予め計画された金額等と実績金額とを比較した場合の増減額である。実績増減率は、予め計画された金額等と実績金額との増減率である。コメントは、勘定科目を表す項目に対応する数値単位で入力され、数値が異常値になった異常理由（例えば、入力ミスなど）である。
【００２５】
整合性チェック部３０２は、Excel（登録商標）上で参照式を設定して、Smart  View入力シートによって決算データに数値が入力されたことを示すデータ入力フラグ：「１」、および決算データにコメントが入力されたこと又は決算データにコメントが入力されていないことを示すコメント入力フラグ：「−１」または「０」を決算データに付加する。
【００２６】
さらに、整合性チェック部３０２は、後述する異常値チェック部３０３により決算データに入力された数値が異常値であると判断された場合に、ＨＦＭのバリデーションチェック機能を実行して、決算データに付加されたデータ入力フラグとコメント入力フラグとの整合性をチェックするものである。本実施の形態では、整合性チェック部３０２は、決算データに付加されたデータ入力フラグとコメント入力フラグの合計が「０」である場合、決算データに付加されたデータ入力フラグとコメント入力フラグの整合性がとれていると判断して、サーバ３００への決算データの出力を許可する。一方、整合性チェック部３０２は、決算データに付加されたデータ入力フラグとコメント入力フラグの合計が「０」でない場合、決算データに付加されたデータ入力フラグとコメント入力フラグの整合性がとれていないと判断して、入力制御部３０１に対して、コメントの入力を要求する。
【００２７】
異常値チェック部３０３は、Smart  View入力シートまたはSmart  Viewレポートにより、決算データを取得するとともに、Excel（登録商標）上で異常値算出式を設定して、決算データに含まれる項目毎に、当該項目に対応する数値が異常値であるかを判断するための閾値を設定する。さらに、異常値チェック部３０３は、決算データに含まれる項目毎に設定された閾値を用いて、取得した決算データに含まれる項目に対応する数値が異常値であるか否かを判断する。さらに、異常値チェック部３０３は、取得した決算データに含まれる項目に対応する数値が異常値であると判断した場合、Excel（登録商標）上でハイライト表示などを行って、取得した決算データに含まれる項目に対応する数値のうち異常値であると判断された数値を通知する。
【００２８】
なお、本実施の形態では、異常値チェック部３０３は、決算データに含まれる項目に対応する数値のうち異常値であると判断された数値に対してハイライト表示を行っているが、異常値であると判断された数値を他の数値とは異なる色で示すなど、異常値であると判断された数値を他の数値とは異なる表示で示すものであれば、これに限定するものではない。
【００２９】
図５は、項目に対応する数値が異常値であるかの判断を説明するための図である。例えば、異常値チェック部３０３は、勘定項目：「売上」を表す項目に対応する数値が異常値であるかを判断する場合、チェック方法：「実績金額が負の値になっていないか」を用いる。具体的には、異常値チェック部３０３は、勘定項目：「売上」を表す項目：「実績金額」に対応する数値が、項目：「実績金額」について設定された閾値１：「０未満」であるか否かをチェックする。そして、異常値チェック部３０３は、勘定項目：「売上」を表す項目：「実績金額」に対応する数値が、閾値１：「０未満」である場合、勘定項目：「売上」を表す項目：「実績金額」に対応する数値が異常値であると判断する。つまり、製品等の返品等があった場合などの特殊なケースを除いて、実績金額が負の値になることはないため、実績金額に対応する数値が負の値になっている場合は、当該実績金額に対応する数値は異常値である可能性が高い。そのため、異常値チェック部３０３は、実績金額に対応する数値が閾値１：「０未満」である場合には、実績金額に対応する数値は異常値であると判断する。なお、実績金額に対応する数値が異常値である場合、異常値チェック部３０３は、予め計画された金額等と当該実績金額とを比較した場合の増減額である実績増減額、および予め計画された金額等と当該実績金額との増減率である実績増減率も異常値と判断する。
【００３０】
また、異常値チェック部３０３は、勘定項目：「売上」を表す項目：「実績増減額」，「実績増減率」に対応する数値が異常値であるかを判断する場合、チェック方法：「実績金額に対する実績増減額の割合が基準外か」，「実績増減率が基準外か」を用いる。具体的には、異常値チェック部３０３は、勘定項目：「売上」を表す項目：「実績金額」に対する数値に対する、勘定項目：「売上」を表す項目：「実績増減額」に対応する数値の割合（％）を計算する。そして、異常値チェック部３０３は、計算した割合が、項目：「実績増減額」について設定された閾値２：「５％」以上である場合、または勘定項目：「売上」を表す項目：「実績増減率」に対応する数値が、項目：「実績増減率」について設定された閾値３：「１５０％以上、または８０％未満」である場合、勘定項目：「売上」を表す項目：「実績増減額」，「実績増減率」に対応する数値が異常値であると判断する。
【００３１】
次に、図６を用いて、決算データに含まれる項目に対応する数値が異常値であるかの判断処理およびコメントの入力処理の流れについて説明する。図６は、決算データに含まれる項目に対応する数値が異常値であるかの判断処理およびコメントの入力処理の流れを示すフローチャートである。
【００３２】
支社２の入力担当者がキーボード２０９やマウス２１０等を操作して、本社３に出力する決算データに含まれる項目に対応する数値を入力すると、入力制御部３０１は、決算データに含まれる項目に対応する数値の計算処理を実行し、Smart  View入力シートによりディスプレイ２０８に表示された決算データに数値を入力する。整合性チェック部３０２は、決算データに数値が入力されると、データ入力フラグ：「１」を決算データに付加する（ステップＳ６０１）。
【００３３】
次いで、異常値チェック部３０３は、入力制御部３０１によって数値が入力された決算データ（ネットワークインターフェース２０７によって本社３のサーバ３００に出力する決算データ）を取得する（ステップＳ６０２）。そして、異常値チェック部３０３は、まず、決算データに含まれる項目：「実績金額」について設定された閾値１：「０未満」を用いて、決算データに含まれる項目：「実績金額」が異常値であるかをチェックする（ステップＳ６０３）。決算データに含まれる項目：「実績金額」が異常値でない場合（ステップＳ６０４：Ｎｏ）、異常値チェック部３０３は、決算データに含まれる項目：「実績増減額」および項目：「実績増減率」について設定された閾値２：「５％以上」および閾値３：「１５０％以上、または８０％未満」を用いて、決算データに含まれる項目：「実績増減額」および決算データに含まれる項目：「実績増減率」が異常値であるかをチェックする（ステップＳ６０５）。そして、決算データに含まれる項目：「実績増減額」および決算データに含まれる項目：「実績増減率」が異常値でない場合（ステップＳ６０６：Ｎｏ）、決算データに含まれる項目に対応する数値が異常値であるかの判断処理を終了する。なお、決算データは、ネットワークインターフェース２０７によって、本社３のサーバ３００に出力される。
【００３４】
一方、決算データに含まれる項目：「実績金額」，「実績増減額」，「実績増減率」に対応する数値のうち、少なくとも１つの項目に対応する数値が異常値である場合（ステップＳ６０４：Ｙｅｓ，ステップＳ６０６：Ｙｅｓ）、異常値チェック部３０３は、決算データに含まれる項目に対応する数値のうち、異常値であると判断された数値をハイライト表示する（ステップＳ６０７）。その際、異常値チェック部３０３は、異常値であると判断された数値に、異常値と判断された理由（例えば、異常値と判断された項目など）を付加する。
【００３５】
次いで、入力制御部３０１は、入力担当者がキーボード２０９やマウス２１０等を操作して入力されたコメントを、決算データに含まれる項目に対応する数値のうち異常値と判断された数値に対するコメントとして決算データに入力する（ステップＳ６０８）。次に、整合性チェック部３０２が、コメントが入力された決算データを取得し、取得した決算データに含まれる項目に対応する数値のうち異常値と判断された数値についてのコメントが入力される欄がブランクになっているか否かを判断する（ステップＳ６０９）。
【００３６】
異常値と判断された数値についてコメントが入力されている場合（ステップＳ６０９：Ｎｏ）、整合性チェック部３０２は、入力されたコメントが適切なコメントであるかを判断する（ステップＳ６１０）。本実施の形態では、整合性チェック部３０２は、予め設定されたコメント（例えば、入力ミスなど、数値が異常値になった理由）と、入力されたコメントとを比較して、当該入力されたコメントが適切なコメントであるかを判断する。
【００３７】
そして、整合性チェック部３０２は、入力されたコメントが適切なコメントであると判断した場合（ステップＳ６１０：Ｙｅｓ）、コメント入力フラグ：「−１」を決算データに付加する（ステップＳ６１１）。一方、整合性チェック部３０２は、入力されたコメントが適切なコメントでないと判断した場合（ステップＳ６１０：Ｎｏ）および異常値と判断された数値についてコメントが入力されていない場合（ステップＳ６０９：Ｙｅｓ）、コメント入力フラグ：「０」を決算データに付加する（ステップＳ６１２）。
【００３８】
その後、整合性チェック部３０２は、決算データに付加されたデータ入力フラグとコメント入力フラグとの合計が「０」になっているかを判断する（ステップＳ６１３、ステップＳ６１４）。そして、データ入力フラグとコメント入力フラグとの合計が「０」になっていなかった場合（ステップＳ６１４：Ｎｏ）、つまり、異常値と判断された数値についてのコメントが入力されていない場合または入力されたコメントが適切なコメントでない場合、入力制御部３０１は、ネットワークインターフェース２０７によるサーバ３００に対する決算データの出力を禁止し、コメントの入力処理に戻る（ステップＳ６０８）。
【００３９】
一方、データ入力フラグとコメント入力フラグとの合計が「０」になっている場合（ステップＳ６１４：Ｙｅｓ）、入力制御部３０１は、ネットワークインターフェース２０７を制御して、決算データをサーバ３００に対して出力する。
【００４０】
このように本実施の形態にかかる業績管理システム１によれば、本社３のサーバ３００に出力するデータであり、項目と当該項目に対応する数値とを含む決算データを取得し、取得する決算データに含まれる項目毎に、当該項目に対応する数値が異常値であるかを判断するための閾値を設定し、項目毎に設定された閾値を用いて、取得した決算データに含まれる項目に対応する数値が異常値であるか否かを判断することにより、支社２のコンピュータ２００における決算データに含まれる複数の項目に対応する数値の確認精度を高くすることができるので、決算データに含まれる複数の項目に対応する数値の確認の早期化を図ることができる。
【符号の説明】
【００４１】
１  業績管理システム
２００  コンピュータ
２０１  ＣＰＵ
２０２  ＲＯＭ
２０４  ＨＤＤ
２０７  ネットワークインターフェース
３０１  入力制御部
３０２  整合性チェック部
３０３  異常値チェック部
【先行技術文献】
【特許文献】
【００４２】
【特許文献１】特開２００９−４８５０３号公報
【図１】
2012141851.tif 000003
【図２】
2012141851.tif 000004
【図３】
2012141851.tif 000005
【図４】
2012141851.tif 000006
【図５】
2012141851.tif 000007
【図６】
2012141851.tif 000008